(57)【特許請求の範囲】
【請求項１】
接続中の基地局と同一または異なる無線方式の隣接基地局について、接続中の基地局から隣接基地局情報を受信し、当該隣接基地局情報に含まれる隣接基地局のセルサイズまたは放射電力値と、予め保持しているセルサイズまたは放射電力値の閾値とを比較して、当該閾値よりも前記受信した隣接基地局情報に含まれる隣接基地局のセルサイズまたは前記放射電力値が小さい場合には、その隣接基地局をハンドオーバ先の基地局としての電波品質の測定対象としないことを特徴とする無線端末。
【発明の詳細な説明】
【技術分野】
【０００１】
本発明は、無線端末に係り、特に、複数の無線方式（通信規格）に対応したマルチモードの無線端末に関する。
【背景技術】
【０００２】
近年、ＰＤＣ（Personal Digital Cellular）とＰＨＳ（Personal Handyphone System）との二つの無線システム方式（以下、単に「無線方式」という）を組み合わせたデュアルモード端末や、Ｗ−ＣＤＭＡ（Wideband Code Division Multiple Access）とＧＳＭ（Global System for Mobile Communications）とＩＥＥＥ８０２．１１ｇとの複数の無線方式を組み合わせたマルチモード端末が市場に投入されている。また、今後市場に出てくる無線方式としては、第３世代標準化機構（3rd Generation Partnership Project；以下「３ＧＰＰ」（登録商標）という）で議論されているＥ−ＵＴＲＡＮ（Evolved Universal Terrestrial Radio Access Network）や、ＩＥＥＥ（Institute of Electrical and Electronics Engineers）で議論されているＩＥＥＥ８０２．１６ｅ（Worldwide Interoperability for Microwave Access；以下、「ＷｉＭＡＸ」という）などがある。将来、これらの無線方式に対応したマルチモード端末が開発され市場に投入されると目されている。
【０００３】
現在のマルチモード端末では、ユーザが周囲の環境を把握して、無線方式を指定する方法が一般的である。例えば、ユーザは、レストランやコーヒーショップ内では無線ＬＡＮであるＩＥＥＥ８０２．１１ｇを選択し、日本国内において屋外を移動しているときにＷ−ＣＤＭＡを選択し、さらに海外ではＧＳＭを選択している。また、別の方法として、ユーザが無線方式を意識的に決めることなく、各無線方式間を自動的にシームレスに切り替えようとする方法もある。
【０００４】
ところで、マルチモード端末及び単一無線方式のみのシングルモード端末のいずれの無線端末においても、一般的な課題の一つに、接続基地間のハンドオーバを如何に適切に行うかということがある。無線端末は、使用位置が移動された場合、通信状態を良好に保つために接続先の基地局、より具体的には基地局が形成するサービスエリアのセルチャンネルを変更する。一般には、無線端末が所定のタイミングで近傍の基地局の受信電界強度を測定して、基地局側のシステムにその測定結果を通知している。基地局側のシステムは、その通知を受けて無線端末との接続をハンドオーバさせるか否かを決定する。そして、セル間のハンドオーバを効率的に実行し無線端末の消費電力を低減する技術が提案されている（例えば、特許文献１参照）。特許文献１に開示の技術では、シングルモード端末において、ハンドオーバ先の対象となる可能性がある隣接セルのチャンネルのみを測定するようにすることで、受信電界強度の測定頻度を抑えて、無線端末の消費電力低減を実現している。また、３ＧＰＰにおいては、Ｅ−ＵＴＲＡＮとＷｉＭＡＸ等の他の方式との間のハンドオーバについて規格化作業がなされている（例えば、非特許文献１参照）。
【特許文献１】特開平６−７７８８８号公報
【非特許文献１】３ＧＰＰ  ＴＲ ３６．９３８、ｖ１．０．０（２００７−１０）
【発明の開示】
【発明が解決しようとする課題】
【０００５】
ところで、特許文献１に開示の技術にあっては、上述の通りシングルモード端末を前提とした技術であり、マルチモード端末にそのまま適用することは難しいという課題がある。また、非特許文献１に開示の技術では、異なる無線方式間のスムーズな切り替えを目的としているが、あくまでも、無線端末が満たすべき基本的な仕様に関するものであり、ユーザが満足すると思われるレベルの製品を投入するには克服すべき課題が幾つかある。例えば、無線端末において、同じような周波数帯域が利用されている方式の無線システムを起動状態にした場合に、無線端末内で干渉が生じる虞があった。またさらに、近年、ピコセルやフェムトセルなどの通信エリアが狭いセルが導入されている。ユーザの移動速度が比較的高速の場合、これら通信エリアが狭いセルに接続した場合、ハンドオーバが頻発してしまう虞があった。このようなハンドオーバが頻発すると、良好な通信品質を維持できない可能性もあった。
【０００６】
本発明は、このような事情に鑑みなされたもので、その目的は、マルチモードの無線端末において干渉を防止する技術を提供することにある。また、別の目的は、マルチモードの無線端末において、狭い通信エリアへのハンドオーバの頻発を防止する技術を提供することにある。
【課題を解決するための手段】
【０００７】
本発明に係る装置は、無線端末に関する。この無線端末は、接続中の基地局と同一または異なる無線方式の隣接基地局について、接続中の基地局から隣接基地局情報を受信し、当該隣接基地局情報に含まれる隣接基地局のセルサイズまたは放射電力値と、予め保持しているセルサイズまたは放射電力値の閾値とを比較して、当該閾値よりも前記受信した隣接基地局情報に含まれる隣接基地局のセルサイズまたは前記放射電力値が小さい場合には、その隣接基地局をハンドオーバ先の基地局としての電波品質の測定対象としない。
【発明の効果】
【０００８】
以上、本発明によると、マルチモードの無線端末において干渉を防止する技術を提供することができる。また、別の観点では、マルチモードの無線端末において、狭い通信エリアへのハンドオーバの頻発を防止する技術を提供することができる。
【発明を実施するための最良の形態】
【０００９】
次に、本発明を実施するための最良の形態（以下、単に「実施形態」という）を、図面を参照して具体的に説明する。以下の実施形態では、マルチモード端末において、起動時に干渉可能性のある無線方式に関していずれか一つをオン、あるいはいずれもオフするかを選択させて端末内の干渉を防止する。さらに、ユーザが高速移動中のマルチモード端末において、ＷｉＭＡＸのピコセルやフェムトセルを電波品質測定の対象から外し、Ｃｅｌｌ ｒｅｓｅｌｅｃｔｉｏｎ処理のスピードを向上させ、さらにピコセルやフェムトセルのような通信エリアの狭いセルにハンドオーバしてしまうことを防止する。
【００１０】
図１は、本実施の形態に係るマルチモード端末１０と、各無線システムのサービスエリア（通信エリア）を示している。図示のように、このサービスエリア内には、図中約中央の家屋９１と、左側のビル９２と、上側の店舗９３とが含まれている。そして、マルチモード端末１０のユーザは車両９０に乗車して移動している。このマルチモード端末１０は、ＷｉＦｉと、ＷｉＭＡＸと、Ｅ−ＵＴＲＡＮの３種類の無線方式に対応して通信可能な構成となっている。Ｅ−ＵＴＲＡＮのサービスエリアについては、第１〜第３のＥ−ＵＴＲＡＮマクロセルＥＭ１〜ＥＭ３と、Ｅ−ＵＴＲＡＮピコセルＥＰが形成されている。
【００１１】
第１のＥ−ＵＴＲＡＮマクロセルＥＭ１は右側の領域に形成され、第２のＥ−ＵＴＲＡＮマクロセルＥＭ２は左側の領域に形成され、第３のＥ−ＵＴＲＡＮマクロセルＥＭ３は中央上側の領域に形成されている。そして、第１〜第３のＥ−ＵＴＲＡＮマクロセルＥＭ１〜ＥＭ３は各二つのセルの領域が一部重複して、かつ、３つのセルの領域の外縁が図中央の家屋９１付近でほぼ一致するように重なっている。また、第２のＥ−ＵＴＲＡＮマクロセルＥＭ２の左側部分の領域にビル９２が位置しており、第３のＥ−ＵＴＲＡＮマクロセルＥＭ３の左側部分の領域に店舗９３が位置している。そして、第１のＥ−ＵＴＲＡＮマクロセルＥＭ１の中央部分において車両９０が左方向（第２のＥ−ＵＴＲＡＮマクロセルＥＭ２の方向）へ移動している。
【００１２】
また、ＷｉＭＡＸのサービスエリアについては、第１及び第２のＷｉＭＡＸマイクロセルＷＭ１、ＷＭ２と、ＷｉＭＡＸピコセルＷＭＰと、ＷｉＭＡＸフェムトセルＷＭＦが形成されている。第１のＷｉＭＡＸマイクロセルＷＭ１は第１のＥ−ＵＴＲＡＮマクロセルＥＭ１の内部に形成され、第２のＷｉＭＡＸマイクロセルＷＭ２は第２のＥ−ＵＴＲＡＮマクロセルＥＭ２の内部に形成され、さらに、第１及び第２のＷｉＭＡＸマイクロセルＷＭ１、ＷＭ２は、第１及び第２のＥ−ＵＴＲＡＮマクロセルＥＭ１、ＥＭ２の重複部分で重なっている。さらに、ＷｉＭＡＸピコセルＷＭＰが店舗９３の右側に形成されている。また、ＷｉＭＡＸフェムトセルＷＭＦは、家屋９１の右側に形成されている。そして、ＷｉＦｉのサービスエリアについては、家屋９１の左上側の領域にＷｉＦｉエリアＷＡが形成されている。
【００１３】
図示のように、ピコセルは、高層ビル（ビル９２）やショッピングセンター（店舗９３）などで使用されることが多く、また、フェムトセルは一般の家庭（家屋９１）で使用されることが多く、それぞれ想定される使用状況に応じて比較的狭いサービスエリアが形成されている。したがって、マルチモード端末１０が高速で移動している場合、それら狭いサービスエリアのセルへのハンドオーバが許可された場合、マルチモード端末１０の移動によりすぐに別のセルへのハンドオーバが必要となる可能性が高いため、そのようなハンドオーバの頻発を防止するために、このマルチモード端末１０は、ピコセルやフェムトセルをハンドオーバの対象、つまりＣｅｌｌ  Ｒｅｓｅｌｅｃｔｉｏｎの対象から外す。なお、フェムトセルだけが外される構成であっても良く、どの種類のセルをハンドオーバの対象から外すかがユーザにより選択可能な構成であってもよい。なお、高速で移動しているか否かの判断は、例えば、所定時間内にハンドオーバした回数が所定回数以上となったときになされてもよいし、ユーザの操作により、高速移動のモードが指定されてもよい。さらに、後述のＧＰＳ受信機４３の位置計測結果が利用されてもよい。
【００１４】
図２は、マルチモード端末１０の概略構成を示す機能ブロック図である。マルチモード端末１０は、アプリケーション層２０と、制御部３０と、無線部４０と、ＧＰＳ受信機４３と、アンテナ部５０から構成されている。このマルチモード端末１０は、周囲の電波状況をチェックし、その状況に応じて、周波数や方式を変えて通信するコグニティブ無線技術が実現されている。
【００１５】
アプリケーション層２０は、マルチモード端末１０における各機能（アプリケーション）を実行する。具体的には、アプリケーション層２０は、ネットワーク経由での送受信を行なうプログラムとユーザとの入出力を行なうプログラムの間の通信を実行する。例えば、アプリケーション層２０は、ファイルマネージャ、データベースマネージャ、電子メールなどの各種ユーザープログラムを実行する。また、無線部４０は、Ｅ−ＵＴＲＡＮの無線機能を実行するＥ−ＵＴＲＡＮ部４１と、ＷｉＭＡＸの無線機能を実行するＷｉＭＡＸ部４２と、ＷｉＦｉの無線機能を実行するＷｉＦｉ部４４とを備え、それぞれアンテナ部５０のアンテナ５１、５２、５４と接続されている。
【００１６】
制御部３０は、コグニティブ無線において仮想ＭＡＣ（Medium Access Control）副層と呼ばれ、タイミング調整機能部３１と、ＮＢＳ情報蓄積部３２と、電波品質管理部３３と、ハンドオーバー制御部３４と、無線システムリスト部３５とを備え、各無線方式の切り替え制御している。
【００１７】
タイミング調整機能部３１は、無線部４０に備わる各無線システム装置（４１、４２、４４）のオンオフ期間の調整を行う。また、ＮＢＳ情報蓄積部３２は、Ｎｅｉｇｂｏｒ  ＢＳ情報（以下、「ＮＢＳ情報」という）を保持する。移動局であるマルチモード端末１０は、一般に、通信接続している基地局から、隣接するセルのリストとしてＮＢＳ情報が通知され、そのリストに含まれるリストの電波品質が測定されてＮＢＳ情報に反映されるように構成されている。そして、電波品質管理部３３は、各無線方式の電波品質測定結果を保存する。さらに、ハンドオーバー制御部３４は、ハンドオーバ先を決定する。そして、無線システムリスト部３５は、マルチモード端末１０がサポートする無線方式と使用周波数帯域と干渉可能性がある無線方式とが記載された一覧リストを備える。図３は、その一覧リストの一例を示している。図示のように、サポートする無線方式は、ＷｉＦｉと、ＷｉＭＡＸと、Ｅ−ＵＴＲＡＮの３種類である。使用周波数帯域については、ＷｉＦｉが２．４〜２．５ＧＨｚ、ＷｉＭＡＸが２．４９６〜２．６９ＧＨｚ、Ｅ−ＵＴＲＡＮが８００ＭＨｚと１．７ＧＨｚである。さらに、ＷｉＦｉとＷｉＭＡＸが互いに干渉の可能性を有していることが記録されている。
【００１８】
つづいて、制御部３０の各構成の具体的な機能について説明する。タイミング調整機能部３１は、現在通信中の無線方式において、周辺の基地局の測定を指示された場合、所定の期間だけ現在通信中の無線方式のＲＦ（Radio Frequency）をオフし、それと異なる無線方式のＲＦをオンし、電波品質を測定する。また、測定対象は、ＮＢＳ情報蓄積部３２が保持しているＮＢＳ情報に記録されている。このように、ＲＦがオン状態の無線方式を一つとすることで、マルチモード端末１０の消費電力の低減が可能となる。
【００１９】
例えば、無線方式としてＥ−ＵＴＲＡＮを使用しており、Ｅ−ＵＴＲＡＮ上で実際の通信を行っていないＩｄｌｅ（LTE_IDLE）Ｍｏｄｅの状態のときに、ＷｉＭＡＸのセルの電波品質を測定する場合には、間欠受信制御（ＤＲＸ：Discontinuous Reception）区間でＥ−ＵＴＲＡＮのＲＦをオフしてＷｉＭＡＸの電波品質が測定される。一般に、無線通信システムでは、間欠送信制御（ＤＴＸ：Discontinuous Transmission）及び間欠受信制御の技術が適用されている。この間欠送信制御／間欠受信制御では、移動局である無線端末は、データが一定時間到来しなかった場合にＤＴＸ／ＤＲＸを起動し、送受信の頻度を減らす制御を行っている。これにより、無線リソースの利用効率の向上と、無線端末の消費電力低減が図られている。また、Ｅ−ＵＴＲＡＮ上で実際の通信がなされているＡｃｔｉｖｅ  Ｍｏｄｅの状態のときに、Ｅ−ＵＴＲＡＮの無線基地局（ｅＮＢ）が指定するギャップパターンのタイミングで、ＷｉＭＡＸの電波品質の測定がなされる。一般に、異なる無線方式または異なる周波数へのハンドオーバを実現するために、それら異なる無線方式または異なる周波数の通信状態を観測する所定のモードが実行される。そのモードでは、送信データの内容に関係なく予め定められたパターンに従って、一定の規則の下、基地局から移動局（マルチモード端末１０）へのデータ送信が停止される。このデータが停止されているタイミングの配置がギャップパターンと呼ばれ、このギャップパターンを把握して利用することで、ハンドオーバが可能な電波品質であるかを確認することができる。本実施形態では、タイミング調整機能部３１が、ＤＲＸやギャップパターンを認識し、ＷｉＭＡＸ部４２のオン／オフを実行する。
【００２０】
ＮＢＳ情報蓄積部３２は、無線基地局が報知しているＮＢＳ情報を保持する。このＮＢＳ情報に基づき、当該セルの電波品質が測定される。この測定結果は、電波品質管理部３３に蓄積される。ＮＢＳ情報だけを電波品質の測定対象としているので、測定対象の無線方式（システム）、周波数、無線基地局が限定されることから、各無線方式で使用可能な全ての周波数帯域を測定する処理と比較して、高速に電波品質の測定が可能となる。
【００２１】
さらに、ＮＢＳ情報にピコセルやフェムトセルの情報が無い場合、それらセルに関する電波品質の測定がなされず、ハンドオーバ先（TargetBS）にはならない。したがって、セルサイズの小さな無線基地局にハンドオーバしてしまうといった課題を回避することができる。
【００２２】
次に、ＮＢＳ情報にピコセルやフェムトセルの情報が含まれ場合のマルチモード端末１０における動作について、図４〜図６のフローチャートをもとに説明する。図４は、マルチモード端末１０がオンされたときにＷｉＭＡＸとＷｉＦｉのいずれかの無線方式を選択するときの動作を示すフローチャートである。上述の通り、無線方式によっては、使用周波数帯域が重複または隣接することによりマルチモード端末１０内部で干渉が発生し、通信品質が低下する虞がある。そこで、そのような状況を回避するために、干渉の可能性がある無線方式については、一つのみの起動に限定することが好ましい。そこで、マルチモード端末１０がオンされると、アプリケーション層２０は、図示しない表示部に選択可能な無線方式として、ＷｉＭＡＸとＷｉＦｉを表示してユーザの指定を受け付ける（Ｓ１１０）。ユーザがＷｉＭＡＸを選択した場合（Ｓ１１２のＹ）、アプリケーション層２０はＷｉＭＡＸ部４２をオンする（Ｓ１１４）。ユーザがＷｉＭＡＸを選択しない場合（Ｓ１１２のＮ）、ユーザがＷｉＦｉを選択したか否かを判定し（Ｓ１１６）、ＷｉＦｉが選択された場合（Ｓ１１６のＹ）、ＷｉＦｉ部４４をオンする（Ｓ１１８）。ＷｉＦｉが選択されない場合（Ｓ１１６のＮ）、ＷｉＭＡＸ部４２及びＷｉＦｉ部４４のいずれもオンしないでこのフローによる処理は終了する。
【００２３】
図５は、ＷｉＭＡＸ部４２が起動した状態でＷｉＭＡＸセルの電波品質測定する場合のフローチャートである。ＷｉＭＡＸセルを形成する無線基地局は、ＷｉＭＡＸ規格に規定されているＭＯＢ＿ＮＢＲ＿ＡＤＶ（neighbor advertisement）メッセージを使用して、周囲に存在するＷｉＭＡＸセルをマルチモード端末１０に報知する。ＭＯＢ＿ＮＢＲ＿ＡＤＶメッセージは、マルチモード端末１０の位置測定の必要性により、また、基地局自身がマルチモード端末１０の位置測定に必要な測定値を把握する必要性により、位置測定の要請時に用いられるフォーマットである。このＭＯＢ＿ＮＢＲ＿ＡＤＶメッセージには、セルを形成する無線基地局の放射電力値としてＢＳ  ＥＩＲＰ（Effective Isotropic Radated Power）が備わる。この放射電力値は−１２８〜＋１２８ｄＢｍの範囲の８ｂｉｔの整数値からなる。
【００２４】
マルチモード端末１０のタイミング調整機能部３１は、ＮＢＲ情報に含まれるセルについて、ＭＯＢ＿ＮＢＲ＿ＡＤＶメッセージに含まれるＢＳ  ＥＩＲＰがマルチモード端末１０が保持しているＥＩＲＰ閾値より大きいか否かを判定する（Ｓ２１０）。ＢＳ  ＥＩＲＰがＥＩＲＰ閾値以下の場合（Ｓ２１０のＮ）、電波品質測定はなされずこのフローによる処理は終了する。ＢＳ  ＥＩＲＰがＥＩＲＰ閾値より大きい場合（Ｓ２１０のＹ）、タイミング調整機能部３１は、電波品質測定対象のセルのＲＳＳＩ（Received Signal Strength. Indicator）とＣＩＮＲ（Carrier to Interference plus Noise. Ratio）とを測定する（Ｓ２１２）。ＲＳＳＩは、無線通信機器（マルチモード端末１０）が受信している信号の強度を数値化したものである。また、ＣＩＮＲは、基地局から受信された信号対ノイズ比と干渉率をあらわしたものである。一般にＲＳＳＩやＣＩＮＲの各値が大きいほど電波品質が良好であるといえる。そして、測定結果は、電波品質管理部３３に記録される（Ｓ２１４）。このような処理を行うことで、ＷｉＭＡＸのピコセルやフェムトセルを測定対象から外している。この場合、ＷｉＭＡＸ部４２が動作中のＷｉＭＡＸセルの電波品質測定であるので、ＷｉＭＡＸのみをサポートした端末であっても、上述のような処理を実行できる。
【００２５】
図６は、Ｅ−ＵＴＲＡＮ部４１が起動した状態でＷｉＭＡＸセルの電波品質測定する場合のフローチャートである。Ｅ−ＵＴＲＡＮからＷｉＭＡＸのｎｅｉｇｈｂｏｒｉｎｇ  ＢＳを測定する際には、マルチモード端末１０は、Ｅ−ＵＴＲＡＮネットワークを通じてＷｉＭＡＸネットワークへアクセスして測定対象のＷｉＭＡＸセルのサイズ（Ｃｅｌｌ  ｔｙｐｅ）を取得する（Ｓ３１０）。このＳ３１０の処理は、上述した非特許文献１に仕様として規定されているので、ここでは説明を省略する。つぎに、マルチモード端末１０のタイミング調整機能部３１は、ＮＢＳ情報蓄積部３２を参照してＮＢＳ情報にＷｉＭＡＸのセルが存在するか否かを確認する（Ｓ３１２）。ＮＢＳ情報にＷｉＭＡＸのセルが存在しない場合（Ｓ３１２のＮ）、電波品質測定はなされずこのフローによる処理は終了する。ＮＢＳ情報にＷｉＭＡＸのセルが存在する場合（Ｓ３１２のＹ）、Ｅ−ＵＴＲＡＮネットワーク上から取得したＣｅｌｌ  ｔｙｐｅとマルチモード端末１０が保持しているセルサイズ閾値（Cell size threshold）とを比較する（Ｓ３１４）。Ｃｅｌｌ  ｔｙｐｅがセルサイズ閾値以下の場合（Ｓ３１４のＮ）、ハンドオーバの対象でないので電波品質を測定せずにこのフローによる処理は終了する。Ｃｅｌｌ  ｔｙｐｅがセルサイズ閾値より大きい場合（Ｓ３１４のＹ）、タイミング調整機能部３１は、そのセルのＲＳＳＩとＣＩＮＲとを測定する（Ｓ３１６）。測定結果は、電波品質管理部３３に記録され蓄積される（Ｓ３１８）。このように、セルサイズ閾値より大きいＷｉＭＡＸセルだけを測定対象として決定する。このようにすることで、ＷｉＭＡＸのピコセルやフェムトセルを測定対象から外すことができる。
【００２６】
最後に、ハンドオーバー制御部３４は、電波品質管理部３３に蓄積されている測定結果の中で最も電波品質が良好であるセル（無線基地局）をハンドオーバ先としてハンドオーバを実行する。なお、ＷｉＭＡＸからＥ−ＵＴＲＡＮへのハンドオーバも同様の処理により決定される。
【００２７】
以上、本実施形態による主要な動作及び効果をまとめると、次のようになる。
１）マルチモード端末１０は、図３に示した一覧リストを使用して、電源の立ち上がり後に、どの無線方式のシステムをオンするかを選択するようにしているので、マルチモード端末１０内での干渉発生を防止できる。特に、使用する周波数帯域が重複したり隣接するＷｉＭＡＸとＷｉＦｉをサポートするマルチモード端末１０では、効果的である。
２）マルチモード端末１０のハンドオーバ先の検索方法として、現在通信中の無線基地局が報知するＮＢＳ情報に存在する無線基地局だけを測定対象とすることで、電波品質の測定時間を短縮できる。また、マルチモード端末１０は、ＮＢＳ情報にフェムトセルやマイクロセルの情報が無い場合には、フェムトセルやピコセルの電波品質の測定を実行しないので、フェムトセルやピコセルがハンドオーバ先となることが防止される。
３）ＷｉＭＡＸからＷｉＭＡＸセルの電波品質を測定する際に、測定対象のセルサイズをＥＩＲＰ閾値以上とすることで、ＭＯＢ＿ＮＢＲ＿ＡＤＶメッセージにピコセルやフェムトセルが存在していても、それらのセル電波品質の測定を行わないので、測定時間を短縮することができる。また、セルサイズが小さい無線基地局へのハンドオーバを回避できる。
４）Ｅ−ＵＴＲＡＮからＷｉＭＡＸ  Ｎｅｉｇｈｂｏｒ  ＢＳの電波品質を測定するときに測定対象のセルサイズをＣｅｌｌ  ｓｉｚｅ  ｔｈｒｅｓｈｏｌｄ以上にすることによって、ＮＢＳ情報にＷｉＭＡＸのピコセルやフェムトセルが存在していても、それらのセルの電波品質の測定を行わないので測定時間を短縮できる。また、セルサイズが小さい無線基地局へのハンドオーバを回避できる。
【００２８】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、上述のマルチモード端末１０は、ＧＰＳ受信機４３を備えているので、ＧＰＳ受信機４３の測定結果を基に、進行方向や移動速度を特定し、進行方向に位置するセル（基地局）のみをハンドオーバの対象として電波品質の測定がなされてもよい。さらに、進行方向のセルの測定回数を、進行逆方向のセルと比べて多くしてもよい。このようにすることで、適切なハンドオーバ対象が限定できるので、特に移動速度が非常に高速の場合に効果的である。さらに、移動速度によって、ハンドオーバの対象となるセルのサイズや放射電力値（ＢＳ  ＥＩＲＰ等）を変化させてもよい。
【図面の簡単な説明】
【００２９】
【図１】実施形態に係る、マルチモード端末と各無線システムのサービスエリアを示し機能ブロック図である。
【図２】実施形態に係る、マルチモード端末の概略構成を示す機能ブロック図である。
【図３】実施形態に係る、マルチモード端末がサポートする無線方式と使用周波数帯域と干渉可能性がある無線方式とが記載された一覧リストを示した図である。
【図４】実施形態に係る、マルチモード端末がオンされたときにＷｉＭＡＸとＷｉＦｉのいずれかの無線方式を選択するときの動作を示すフローチャートである。
【図５】実施形態に係る、マルチモード端末のＷｉＭＡＸ部が起動した状態でＷｉＭＡＸセルの電波品質測定する場合のフローチャートである。
【図６】実施形態に係る、マルチモード端末のＥ−ＵＴＲＡＮ部が起動した状態でＷｉＭＡＸセルの電波品質測定する場合のフローチャートである。
【符号の説明】
【００３０】
１０  マルチモード端末
２０  アプリケーション層
３０  制御部
３１  タイミング調整機能部
３２  ＮＢＳ情報蓄積部
３３  電波品質管理部
３４  ハンドオーバー制御部
３５  無線システムリスト部
４０  無線部
４１  Ｅ−ＵＴＲＡＮ部
４２  ＷｉＭＡＸ部
４３  ＧＰＳ受信機
４４  ＷｉＦｉ部
ＷＭ１  第１のＷｉＭＡＸマイクロセル
ＷＭ２  第２のＷｉＭＡＸマイクロセル
ＷＭＦ  ＷｉＭＡＸフェムトセル
ＷＭＰ  ＷｉＭＡＸピコセル
ＥＭ１  第１のＥ−ＵＴＲＡＮマクロセル
ＥＭ２  第２のＥ−ＵＴＲＡＮマクロセル
ＥＭ３  第３のＥ−ＵＴＲＡＮマクロセル
ＥＰ  Ｅ−ＵＴＲＡＮピコセル
ＷＡ  ＷｉＦｉエリア
【図１】
0005103277.tif 000002
【図２】
0005103277.tif 000003
【図３】
0005103277.tif 000004
【図４】
0005103277.tif 000005
【図５】
0005103277.tif 000006
【図６】
0005103277.tif 000007